(57)【要約】【課題】安価で簡単な構成で異音の発生を防ぐことができる遠心分離機を提供すること。【解決手段】回転体（ロータ）を回転駆動する駆動部４をフレーム２に対して弾性支持する複数のダンパ５を、バネ９と、該バネ９の両端を支持するスプリングホルダ１０，１１と、これらのバネ９とスプリングホルダ１０，１１を一体的に保持してバネ９の振動を減衰させるダンピングラバー１２で構成して成る遠心分離機において、前記ダンパ５のバネ９とスプリングホルダ１２との間に弾性体１５，１６を介設する。例えば、円筒状の弾性体１５，１６をスプリングホルダ１０，１１の外周部に被冠し、該弾性体１５，１６の外周にバネ９の端部を嵌合させる。【選択図】図２
2009262031.tif 000002
【特許請求の範囲】
【請求項１】
回転体を回転駆動する駆動部をフレームに対して弾性支持する複数のダンパを、バネと、該バネの両端を支持するスプリングホルダと、これらのバネとスプリングホルダを一体的に保持してバネの振動を減衰させるダンピングラバーで構成して成る遠心分離機において、
前記ダンパのバネとスプリングホルダとの間に弾性体を介設したことを特徴とする遠心分離機。
【請求項２】
円筒状の前記弾性体を前記スプリングホルダの外周部に被冠し、該弾性体の外周に前記バネの端部を嵌合させたことを特徴とする請求項１記載の遠心分離機。
【請求項３】
前記バネの外周を弾性体から成る筒状のスプリングカバーで被覆したことを特徴とする請求項１又は２記載の遠心分離機。
【発明の詳細な説明】
【技術分野】
【０００１】
本発明は、ロータ等の回転体を回転駆動する駆動部を複数のダンパを介してフレームに弾性支持して成る遠心分離機に関するものである。
【背景技術】
【０００２】
遠心分離機は、ロータ等の回転体を駆動部によって高速で回転駆動し、回転体に収容された試料を遠心分離処理するものであるが、駆動部は複数のダンパによってフレームに弾性支持され、駆動部に発生する振動をダンパによって吸収して減衰させ、振動がフレームに伝播しないようにしている。
【０００３】
ところで、従来のダンパの構造を図４に示すが、ダンパ１０５は、振動によって圧縮又は伸びるバネ１０９と、該バネ１０９の両端を支持するスプリングホルダ１１０，１１１と、これらのバネ１０９とスプリングホルダ１１０，１１１を一体的に保持してバネ１０９の振動を減衰させるダンピングラバー１１２で構成されている。
【特許文献１】実開昭６２−１１４６５４号公報
【発明の開示】
【発明が解決しようとする課題】
【０００４】
しかしながら、図４に示す従来のダンパ１０５では、駆動部１０４の振動がバネ１０９に共振したとき、バネ１０９が一般的に金属製であるスプリングホルダ１１０，１１１に繰り返し衝突することによって異音が発生することがあった。このとき、バネ１０９とスプリングホルダ１１０，１１１との間に隙間が全くなければ異音が発生することはないが、実際の生産においてバネ１０９の内径寸法とスプリングホルダ１１０，１１１の外径寸法を高精度に管理することは至難であり、コストアップを招くという問題があった。
【０００５】
本発明は上記問題に鑑みてなされたもので、その目的とする処は、安価で簡単な構成で異音の発生を防ぐことができる遠心分離機を提供することにある。
【課題を解決するための手段】
【０００６】
前記目的を達成するため、請求項１記載の発明は、回転体を回転駆動する駆動部をフレームに対して弾性支持する複数のダンパを、バネと、該バネの両端を支持するスプリングホルダと、これらのバネとスプリングホルダを一体的に保持してバネの振動を減衰させるダンピングラバーで構成して成る遠心分離機において、前記ダンパのバネとスプリングホルダとの間に弾性体を介設したことを特徴とする。
【０００７】
請求項２記載の発明は、請求項１記載の発明において、円筒状の前記弾性体を前記スプリングホルダの外周部に被冠し、該弾性体の外周に前記バネの端部を嵌合させたことを特徴とする。
【０００８】
請求項３記載の発明は、請求項１又は２記載の発明において、前記バネの外周を弾性体から成る筒状のスプリングカバーで被覆したことを特徴とする。
【発明の効果】
【０００９】
請求項１及び２記載の発明によれば、ダンパのバネとスプリングホルダとの間に弾性体を介設したため、駆動部の振動がバネに共振した場合であっても、バネとスプリングホルダとが金属接触しないために異音の発生が防がれる。そして、このような効果はバネとスプリングホルダとの間に弾性体を介設するという安価で簡単な構成で得られる。
【００１０】
請求項３記載の発明によれば、バネの外周に被覆されたスプリングカバーの制振作用によってバネの共振が抑えられ、フレームへの振動の伝播と異音の発生が一層効果的に防がれる。
【発明を実施するための最良の形態】
【００１１】
以下に本発明の実施の形態を添付図面に基づいて説明する。
【００１２】
図１は本発明に係る遠心分離機の縦断面図、図２はダンパの一部を破断して示す構成図である。
【００１３】
図１に示す遠心分離機１においては、ボックス状のフレーム２内の上半部にボウル３が収容され、その下方には電動モータを備えた駆動部４が複数のダンパ５を介してフレーム２の底部に弾性支持されている。尚、前記ボウル３の上面は開口しており、その上面開口部は、フレーム２の上部に不図示のヒンジによって回動可能に連結されたドア６によって開閉される。
【００１４】
前記駆動部４から垂直上方へ延びる回転軸７は、前記ボウル３の底部を貫通して該ボウル３の内部に臨んでおり、その上端には回転体であるロータ８が着脱可能に取り付けられている。
【００１５】
而して、ロータ８が駆動部４によってボウル３内で所定の速度で回転駆動されると、該ロータ８の内部に収容された試料が遠心分離処理され、駆動部４の回転振動は複数のダンパ５によって吸収されて減衰され、フレーム２への振動の伝播が防がれる。
【００１６】
次に、各ダンパ５の構成の詳細を図２に基づいて説明する。
【００１７】
ダンパ５は、振動によって圧縮又は伸びるバネ９と、該バネ９の上下両端を支持するスプリングホルダ１０，１１と、これらのバネ９とスプリングホルダ１０，１１を一体的に保持してバネ９の振動を減衰させるダンピングラバー１２で構成されている。ここで、各スプリングホルダ１０，１１の中心部にはネジ孔１０ａ，１１ａがそれぞれ貫設されており、ダンピングラバー１２の上下の中心部には貫通孔１２ａ，１２ｂがそれぞれ形成されている。又、駆動部４のフランジ部４Ａには貫通孔４ａが形成され、フレーム２の底部には貫通孔２ａが形成されている。
【００１８】
前記構成を有するダンパ５は、その上部が駆動部４のフランジ部４Ａに形成された貫通孔４ａとダンピングラバー１２の上部に形成された貫通孔１２ａに上方から挿通するボルト１３を上側のスプリングホルダ１０に形成されたネジ孔１０ａにねじ込むことによって駆動部４に固定される。又、ダンパ５の下部は、フレーム２の底部に形成された貫通孔２ａとダンピングラバー１２の下部に形成された貫通孔１２ｂに下方から挿通するボルト１４を下側のスプリングホルダ１１に形成されたネジ孔１１ａにねじ込むことによってフレーム２に固定される。
【００１９】
而して、本実施の形態は、ダンパ５のバネ９とスプリングホルダ１０，１１との間にゴム等の弾性体１５，１６をそれぞれ介設したことを特徴とする。より詳細には、ゴムで円筒状に一体成形された弾性体１５，１６がスプリングホルダ１０，１１の外周部にそれぞれ被冠されており、該弾性体１５，１６の外周にバネ９の上下の端部が嵌合されている。
【００２０】
本実施の形態に係る遠心分離機１において、試料の遠心分離処理に際して前述のように駆動部４によってロータ８が高速で回転駆動されると、駆動部４において発生する回転振動は、本実施の形態では、各ダンパ５のバネ９とスプリングホルダ１０，１１との間に弾性体１５，１６をそれぞれ介設したため、駆動部４の振動がバネ９に共振した場合であっても、バネ９とスプリングホルダ１０，１１とが金属接触しないために異音の発生が防がれる。そして、このような効果はバネ９とスプリングホルダ１０，１１との間に弾性体１５，１６を介設するという安価で簡単な構成で得られる。
【００２１】
尚、本発明は、以上説明した実施の形態に適用が限定されず、特許請求の範囲に記載下範囲において種々の変形や改良が可能である。例えば、図３に示すように、ダンパ５のバネ９の外周を弾性体から成る筒状のスプリングカバー１７で被覆すれば、該スプリングカバー１７の制振作用によってバネ９の共振が抑えられ、フレーム２への振動の伝播と異音の発生が一層効果的に防がれる。
【図面の簡単な説明】
【００２２】
【図１】本発明に係る遠心分離機の縦断面図である。
【図２】ダンパの一部を破断して示す構成図である。
【図３】別形態に係るダンパの一部を破断して示す構成図である。
【図４】従来のダンパの一部を破断して示す構成図である。
【符号の説明】
【００２３】
１              遠心分離機
２              フレーム
２ａ            フレームの貫通孔
３              ボウル
４              駆動部
４Ａ            駆動部のフランジ部
４ａ            駆動部の貫通孔
５              ダンパ
６              ドア
７              回転軸
８              ロータ
９              バネ
１０，１１      スプリングホルダ
１０ａ，１１ａ  スプリングホルダのネジ孔
１２            ダンピングラバー
１２ａ，１２ｂ  ダンピングラバーの貫通孔
１３，１４      ボルト
１５，１６      弾性体
１７            スプリングカバー
【図１】
2009262031.tif 000003
【図２】
2009262031.tif 000004
【図３】
2009262031.tif 000005
【図４】
2009262031.tif 000006